(57)【要約】【課題】  再提示されるニュース等のコンテンツをユーザの都合に合わせて制約するコンテンツ提示装置を提供する。【解決手段】  ニュース提示装置１１０は、（ａ）ユーザに再提示されなくなるニュースに係る情報である非再提示条件をユーザ毎に蓄積する非再提示条件データベース１１７に、第１のユーザに再提示される第１のニュースに対して第１のユーザが設定した第１の非再提示条件を登録する非再提示条件登録部１１４と、（ｂ）第１のユーザに提示されるニュースを蓄積しているニュースデータベース１１６から、第１の非再提示条件に基づいて第１のニュースを除外し、ニュースを提示するニュース提示部１１３とを備える。【選択図】  図３
2006031325.tif 000002
【特許請求の範囲】
【請求項１】
文字、音声、映像及びこれらを組み合わせたもののいずれかであるデジタルコンテンツを提示するコンテンツ提示装置であって、
ユーザに再提示されなくなるコンテンツに係る情報である非再提示条件をユーザ毎に蓄積する非再提示条件データベースに、第１のユーザに再提示される第１のコンテンツに対して前記第１のユーザが設定した第１の非再提示条件を登録する非再提示条件登録手段と、
前記第１のユーザに提示されるコンテンツを蓄積しているコンテンツデータベースから、前記第１の非再提示条件に基づいて前記第１のコンテンツを除外し、コンテンツを提示するコンテンツ提示手段と
を備えることを特徴とするコンテンツ提示装置。
【請求項２】
前記第１の非再提示条件には、
前記第１のユーザに対して前記第１のコンテンツが提示され得る最後の時に係る情報が含まれ、
前記コンテンツ提示手段は、
前記第１のユーザに前記第１のコンテンツを提示する時が、前記終了情報で示される最後の時を越えていると、前記第１のユーザに提示する予定のコンテンツの中から前記第１のコンテンツを除外する
ことを特徴とする請求項１に記載のコンテンツ提示装置。
【請求項３】
前記第１の非再提示条件は、
前記第１のユーザに対して前記第１のコンテンツが提示され得る期間に係る第１期間情報が含まれ、
前記コンテンツ提示手段は、
所定の開始時から前記第１のユーザに前記第１のコンテンツを提示する時が、前記第１期間情報で示される期間を越えていると、前記第１のユーザに提示する予定のコンテンツの中から前記第１のコンテンツを除外する
ことを特徴とする請求項１又は２に記載のコンテンツ提示装置。
【請求項４】
前記第１の非再提示条件は、
前記第１のユーザに対して前記第１のコンテンツが提示され得る回数に係る第１回数情報が含まれ、
前記コンテンツ提示手段は、
所定の開始時から前記第１のユーザに前記第１のコンテンツを提示した回数が、前記第１回数情報で示される回数を超えていると、前記第１のユーザに提示する予定のコンテンツの中から前記第１のコンテンツを除外する
ことを特徴とする請求項１乃至３のいずれかに記載のコンテンツ提示装置。
【請求項５】
前記所定の開始時は、
前記第１の非再提示条件が登録された時、及び前記第１のユーザに対して前記第１のコンテンツが提示された最初の時のいずれかである
ことを特徴とする請求項３又は４に記載のコンテンツ提示装置。
【請求項６】
文字、音声、映像及びこれらを組み合わせたもののいずれかであるデジタルコンテンツを提示するコンテンツ提示装置であって、
ユーザに再提示されなくなるコンテンツに係る情報である非再提示条件をユーザ毎に蓄積する非再提示条件データベースに、第１のユーザに再提示されるコンテンツが属する分類のうち第１の分類に対して第１のユーザが設定した第１の非再提示条件を登録する非再提示条件登録手段と、
前記第１のユーザに提示されるコンテンツを蓄積しているコンテンツデータベースから、前記第１の非再提示条件に基づいて前記第１の分類に属するコンテンツを除外し、コンテンツを提示するコンテンツ提示手段と
を備えることを特徴とするコンテンツ提示装置。
【請求項７】
前記第２の非再提示条件は、
前記第１のユーザに対して前記第１の分類に属するコンテンツが提示され得る期間に係る第２期間情報が含まれ、
前記コンテンツ提示手段は、
前記第１のユーザに前記第１の分類に属する第２のコンテンツを提示した最初の時から前記第１のユーザに前記第２のコンテンツを提示する時が、前記第２期間情報で示される期間を越えていると、前記第１のユーザに提示する予定のコンテンツの中から前記第２のコンテンツを除外する
ことを特徴とする請求項６に記載のコンテンツ提示装置。
【請求項８】
前記第２の非再提示条件は、
前記第１のユーザに対して前記第１の分類に属するコンテンツが提示され得る回数に係る第２回数情報が含まれ、
前記コンテンツ提示手段は、
前記第１のユーザに前記第１の分類に属する第２のコンテンツを提示した最初の時から前記第１のユーザに前記第２のコンテンツを提示した回数が、前記第２回数情報で示される回数を超えていると、前記第１のユーザに提示する予定のコンテンツの中から前記第２のコンテンツを除外する
ことを特徴とする請求項６又は７に記載のコンテンツ提示装置。
【請求項９】
前記ユーザは、第１のグループ及び第２のグループのいずれかのグループに属し、前記コンテンツデータベースにおいて蓄積されているコンテンツは、前記第１のグループ及び前記第２のグループのいずれかのグループのユーザに提示され、
前記コンテンツ提示手段は、
前記第１のユーザが属するグループに提示されるコンテンツの中から、前記第１のコンテンツを除外する
ことを特徴とする請求項１乃至８に記載のコンテンツ提示装置。
【請求項１０】
前記非再提示条件登録手段は、
ユーザから非再提示条件を受け付ける非再提示条件登録画面を出力し、
前記コンテンツ提示手段は、
ユーザにコンテンツを提示する際に、選択決定されると前記非再提示条件登録画面を出力させる選択決定欄と、ユーザに提示するコンテンツとが含まれるコンテンツ提示画面を出力する
ことを特徴とする請求項１乃至９に記載のコンテンツ提示装置。
【請求項１１】
文字、音声、映像及びこれらを組み合わせたもののいずれかであるデジタルコンテンツを提示するコンテンツ提示方法であって、
ユーザに再提示されなくなるコンテンツに係る情報である非再提示条件をユーザ毎に蓄積する非再提示条件データベースに、第１のユーザに再提示される第１のコンテンツに対して前記第１のユーザが設定した第１の非再提示条件を登録する非再提示条件登録ステップと、
前記第１のユーザに提示されるコンテンツを蓄積しているコンテンツデータベースから、前記第１の非再提示条件に基づいて前記第１のコンテンツを除外し、コンテンツを提示するコンテンツ提示ステップと
を備えることを特徴とするコンテンツ提示方法。
【請求項１２】
文字、音声、映像及びこれらを組み合わせたもののいずれかであるデジタルコンテンツを提示するコンテンツ提示方法であって、
ユーザに再提示されなくなるコンテンツに係る情報である非再提示条件をユーザ毎に蓄積する非再提示条件データベースに、第１のユーザに再提示されるコンテンツが属する分類のうち第１の分類に対して第１のユーザが設定した第１の非再提示条件を登録する非再提示条件登録ステップと、
前記第１のユーザに提示されるコンテンツを蓄積しているコンテンツデータベースから、前記第１の非再提示条件に基づいて前記第１の分類に属するコンテンツを除外し、コンテンツを提示するコンテンツ提示ステップと
を備えることを特徴とするコンテンツ提示方法。
【請求項１３】
文字、音声、映像及びこれらを組み合わせたもののいずれかであるデジタルコンテンツを提示するプログラムを記録したコンピュータ読み取り可能な記録媒体であって、
ユーザに再提示されなくなるコンテンツに係る情報である非再提示条件をユーザ毎に蓄積する非再提示条件データベースに、第１のユーザに提示された第１のコンテンツに対して前記第１のユーザが設定した第１の非再提示条件を登録する非再提示条件登録ステップと、
前記第１のユーザに提示されるコンテンツを蓄積しているコンテンツデータベースから、前記第１の非再提示条件に基づいて前記第１のコンテンツを除外し、コンテンツを提示するコンテンツ提示ステップと
をコンピュータに実行させるプログラムを記録したことを特徴とするコンピュータ読み取り可能な記録媒体。
【請求項１４】
文字、音声、映像及びこれらを組み合わせたもののいずれかであるデジタルコンテンツを提示するプログラムを記録したコンピュータ読み取り可能な記録媒体であって、
ユーザに再提示されなくなるコンテンツに係る情報である非再提示条件をユーザ毎に蓄積する非再提示条件データベースに、第１のユーザに再提示されるコンテンツが属する分類のうち第１の分類に対して第１のユーザが設定した第１の非再提示条件を登録する非再提示条件登録ステップと、
前記第１のユーザに提示されるコンテンツを蓄積しているコンテンツデータベースから、前記第１の非再提示条件に基づいて前記第１の分類に属するコンテンツを除外し、コンテンツを提示するコンテンツ提示ステップと
をコンピュータに実行させるプログラムを記録したことを特徴とするコンピュータ読み取り可能な記録媒体。
【請求項１５】
文字、音声、映像及びこれらを組み合わせたもののいずれかであるデジタルコンテンツを提示するコンテンツ提示プログラムであって、
ユーザに再提示されなくなるコンテンツに係る情報である非再提示条件をユーザ毎に蓄積する非再提示条件データベースに、第１のユーザに提示された第１のコンテンツに対して前記第１のユーザが設定した第１の非再提示条件を登録する非再提示条件登録ステップと、
前記第１のユーザに提示されるコンテンツを蓄積しているコンテンツデータベースから、前記第１の非再提示条件に基づいて前記第１のコンテンツを除外し、コンテンツを提示するコンテンツ提示ステップと
をコンピュータに実行させることを特徴とするコンテンツ提示プログラム。
【請求項１６】
文字、音声、映像及びこれらを組み合わせたもののいずれかであるデジタルコンテンツを提示するコンテンツ提示プログラムであって、
ユーザに再提示されなくなるコンテンツに係る情報である非再提示条件をユーザ毎に蓄積する非再提示条件データベースに、第１のユーザに再提示されるコンテンツが属する分類のうち第１の分類に対して第１のユーザが設定した第１の非再提示条件を登録する非再提示条件登録ステップと、
前記第１のユーザに提示されるコンテンツを蓄積しているコンテンツデータベースから、前記第１の非再提示条件に基づいて前記第１の分類に属するコンテンツを除外し、コンテンツを提示するコンテンツ提示ステップと
をコンピュータに実行させることを特徴とするコンテンツ提示プログラム。
【請求項１７】
前記コンテンツは、ニュース、広告、伝言、連絡、及び日程のいずれかに係る文字、音声、映像及びこれらを組み合わせたもののいずれかのデジタルコンテンツである
ことを特徴とする請求項１乃至１０のいずれかに記載のコンテンツ提示装置。
【請求項１８】
前記コンテンツは、ニュース、広告、伝言、連絡、及び日程のいずれかに係る文字、音声、映像及びこれらを組み合わせたもののいずれかのデジタルコンテンツである
ことを特徴とする請求項１１又は１２に記載のコンテンツ提示方法。
【発明の詳細な説明】
【技術分野】
【０００１】
本発明は、ユーザにニュース等のコンテンツを提示するコンテンツ提示装置に関し、特に、再提示されないコンテンツとしてユーザから設定されたものを除いてコンテンツを提示するコンテンツ提示装置に関する。
【背景技術】
【０００２】
近年、ネットワークの普及に伴い、ネットワークを介して、色々な情報や機能がユーザに提供されている。その中でも、代表的なものとして、商品情報を提供するシステムがある。かかるシステムにおいては、商品情報検索等のような主サービス以外にも、副次的に、ニュース、広告、又は伝言等（以下、コンテンツと呼称する。）もユーザに提供する。
【０００３】
これに対して、ユーザは、コンテンツから有益な情報を得ることもできる一方、無益な情報も得ることとなる。また、ユーザの意図する時機でコンテンツが提示されるわけでもなく、ただ単に無造作に提示されるだけであり、ユーザにとって便利である反面、迷惑になる場合もある。
【０００４】
そこで、ユーザの希望するコンテンツのみがユーザの希望する時機でユーザの端末に表示されるシステムが提案されている（例えば、特許文献１参照。）。
【特許文献１】特開２００１−２８３０９０号公報
【発明の開示】
【発明が解決しようとする課題】
【０００５】
しかしながら、前記従来の技術においては、ユーザが一度みて、再度みる必要がないとされるコンテンツについても、期限が来るまでは、継続してユーザに提示されるという問題がある。結果、ユーザは、同一のコンテンツを何度もみることとなり、煩雑さを生じることとなる。
【０００６】
そこで、本発明は、前記問題に鑑みてなされたものであり、ユーザの都合に合わせてニュース等のコンテンツを再提示するコンテンツ提示装置を提供することを目的とする。
【課題を解決するための手段】
【０００７】
前記目的を達成するために、本発明に係るコンテンツ提示装置は、文字、音声、映像及びこれらを組み合わせたもののいずれかであるデジタルコンテンツを提示するコンテンツ提示装置であって、ユーザに再提示されなくなるコンテンツに係る情報である非再提示条件をユーザ毎に蓄積する非再提示条件データベースに、第１のユーザに再提示される第１のコンテンツに対して前記第１のユーザが設定した第１の非再提示条件を登録する非再提示条件登録手段と、前記第１のユーザに提示されるコンテンツを蓄積しているコンテンツデータベースから、前記第１の非再提示条件に基づいて前記第１のコンテンツを除外し、コンテンツを提示するコンテンツ提示手段とを備えることとする。
【０００８】
これによって、ユーザは、本来ならば期限が来るまで提示され続けるコンテンツに対して、非再提示条件を設定登録しておくことにより、提示される期間及び頻度等を、ユーザの都合に合わせてコンテンツ単位で制御することができる。これに伴い、提示を受けて無益と感じたコンテンツについては、次からは提示されないようにすることにより、新規のコンテンツや有益なコンテンツにすばやくアクセスすることができる。また、コンテンツ提示装置から本来提供されるサービスについても、すばやくアクセスすることができる。
【０００９】
さらに、前記第１の非再提示条件には、前記第１のユーザに対して前記第１のコンテンツが提示され得る最後の時に係る情報が含まれ、前記コンテンツ提示手段は、前記第１のユーザに前記第１のコンテンツを提示する時が、前記終了情報で示される最後の時を越えていると、前記第１のユーザに提示する予定のコンテンツの中から前記第１のコンテンツを除外することとしてもよい。
【００１０】
これによって、提示され得る最後の時に係る情報を設定登録しておくことにより、提示する時がその時を越えると、再提示されなくなり、ユーザの都合に合わせてコンテンツ単位で制御することができる。
【００１１】
さらに、前記第１の非再提示条件は、前記第１のユーザに対して前記第１のコンテンツが提示され得る期間に係る第１期間情報が含まれ、前記コンテンツ提示手段は、所定の開始時から前記第１のユーザに前記第１のコンテンツを提示する時が、前記第１期間情報で示される期間を越えていると、前記第１のユーザに提示する予定のコンテンツの中から前記第１のコンテンツを除外することとしてもよい。
【００１２】
これによって、提示され得る期間に係る情報を設定登録しておくことにより、所定の開始時から提示する時がその期間を越えると、再提示されなくなり、ユーザの都合に合わせてコンテンツ単位で制御することができる。
【００１３】
さらに、前記第１の非再提示条件は、前記第１のユーザに対して前記第１のコンテンツが提示され得る回数に係る第１回数情報が含まれ、前記コンテンツ提示手段は、所定の開始時から前記第１のユーザに前記第１のコンテンツを提示した回数が、前記第１回数情報で示される回数を超えていると、前記第１のユーザに提示する予定のコンテンツの中から前記第１のコンテンツを除外することとしてもよい。
【００１４】
これによって、提示され得る回数に係る情報を設定登録しておくことにより、所定の開始時から提示した回数がその回数を超えると、再提示されなくなり、ユーザの都合に合わせてコンテンツ単位で制御することができる。
【００１５】
さらに、前記所定の開始時は、前記第１の非再提示条件が登録された時、及び前記第１のユーザに対して前記第１のコンテンツが提示された最初の時のいずれかであることとしてもよい。
【００１６】
これによって、登録された時、又は提示された最初の時から、提示される期間及び頻度等を、ユーザの都合に合わせてコンテンツ単位で制御することができる。
【００１７】
または、前記目的を達成するために、本発明に係るコンテンツ提示装置は、文字、音声、映像及びこれらを組み合わせたもののいずれかであるデジタルコンテンツを提示するコンテンツ提示装置であって、ユーザに再提示されなくなるコンテンツに係る情報である非再提示条件をユーザ毎に蓄積する非再提示条件データベースに、第１のユーザに再提示されるコンテンツが属する分類のうち第１の分類に対して第１のユーザが設定した第１の非再提示条件を登録する非再提示条件登録手段と、前記第１のユーザに提示されるコンテンツを蓄積しているコンテンツデータベースから、前記第１の非再提示条件に基づいて前記第１の分類に属するコンテンツを除外し、コンテンツを提示するコンテンツ提示手段とを備えることとする。
【００１８】
これによって、ユーザは、本来ならば期限が来るまで提示され続けるコンテンツに対して、非再提示条件を設定登録しておくことにより、提示される期間及び頻度等を、ユーザの都合に合わせてコンテンツの分類単位で制御することができる。これに伴い、提示を受けて無益と感じた分類のコンテンツについては、再提示されないようにすることにより、新規のコンテンツや有益なコンテンツにすばやくアクセスすることができる。また、コンテンツ提示装置から本来提供されるサービスについても、すばやくアクセスすることができる。
【００１９】
さらに、前記第２の非再提示条件は、前記第１のユーザに対して前記第１の分類に属するコンテンツが提示され得る期間に係る第２期間情報が含まれ、前記コンテンツ提示手段は、前記第１のユーザに前記第１の分類に属する第２のコンテンツを提示した最初の時から前記第１のユーザに前記第２のコンテンツを提示する時が、前記第２期間情報で示される期間を越えていると、前記第１のユーザに提示する予定のコンテンツの中から前記第２のコンテンツを除外することとしてもよい。
【００２０】
これによって、提示され得る期間に係る情報を設定登録しておくことにより、所定の開始時から提示する時がその期間を越えると、再提示されなくなり、ユーザの都合に合わせて分類単位で制御することができる。
【００２１】
さらに、前記第２の非再提示条件は、前記第１のユーザに対して前記第１の分類に属するコンテンツが提示され得る回数に係る第２回数情報が含まれ、前記コンテンツ提示手段は、前記第１のユーザに前記第１の分類に属する第２のコンテンツを提示した最初の時から前記第１のユーザに前記第２のコンテンツを提示した回数が、前記第２回数情報で示される回数を超えていると、前記第１のユーザに提示する予定のコンテンツの中から前記第２のコンテンツを除外することとしてもよい。
【００２２】
これによって、提示され得る回数に係る情報を設定登録しておくことにより、所定の開始時から提示した回数がその回数を超えると、再提示されなくなり、ユーザの都合に合わせて分類単位で制御することができる。
【００２３】
なお、前記目的を達成するために、本発明に係るコンテンツ提示方法に基づいて制御されるコンピュータ等の一般のハードウェアシステムによって実現されるとしてもよい。また、本発明に係るコンピュータ読み取り可能な記録媒体に記録されたプログラムを実行したコンピュータ等の一般のハードウェアシステムによって実現されるとしてもよい。さらに、コンピュータ読み取り可能な記録媒体、又はネットワークを介して入出された本発明に係るコンテンツ提示プログラムを実行したコンピュータ等の一般のハードウェアシステムによって実現されるとしてもよい。
【００２４】
これによって、本発明に係るコンテンツ提示装置と同一の機能を実現することができる。
なお、本発明に係るコンテンツ提示装置は、ニュース、広告、伝言、連絡、日程等に係る文字、音声、映像（静止画、又は動画等。）、及びこれらを組み合わせたもののいずれかであるデジタルコンテンツを対象としてもよい。
【発明の効果】
【００２５】
以上、本発明に係るコンテンツ提示装置によれば、一度提示されたニュース、広告、及び伝言等に対して、非再提示条件を設定登録しておくことにより、期限が来るまで提示され続けることを回避することができる。これに伴い、提示される期間、頻度等をユーザの都合で制御することができ、情報の整理が容易になり、煩雑さが解消される。
【発明を実施するための最良の形態】
【００２６】
（実施の形態１）
以下、本発明の実施の形態１について、図面を参照しながら説明する。なお、本発明は、ニュース、広告、伝言、連絡、日程、報告等に係る文字、音声、映像（静止画、又は動画等。）、及びこれらを組み合わせたもののいずれかであるデジタルコンテンツを対象とすることができる。しかし、ここでは、話を簡潔にするために、ニュースを一例にして説明する。
【００２７】
図１は、本発明の実施の形態１におけるニュース提示システムの概要を示すユースケース図である。
同図に示されるように、運用部門のユーザ１０６は、ニュース提示システム１００にログインし、営業部門、総務部門、技術部門、企画部門、運用部門等のユーザ１０２〜１０６（以下、総称してユーザ１０１と呼称する。）に提示されるニュースを登録する（ユースケースＵ１０１）。また、登録するにあたって、（１）グループ、（２）提示期間、（３）分類等の条件（以下、提示条件と呼称する。）も一緒に設定登録する。
【００２８】
「グループ」とは、ニュースが提示されるユーザのグループをいう。ここでは、営業部門、総務部門、技術部門、企画部門、運用部門等が該当する。
「提示期間」とは、ニュースが提示される期間をいう。
【００２９】
「分類」とは、ニュースが属する種類をいう。ここでは、一例として、”一般”、”特定”、及び”運用”のいずれかとする。
ニュース提示システム１００は、提示条件に基づいてユーザ１０１にニュースを提示する。
【００３０】
例えば、ユーザ１０６が、”商品Ａの発売が決まりました。”というニュースを登録すると共に、グループＩＤに”１”、提示期間に”０４／０５−０４／１５”、分類に”一般”を設定登録すると、ニュース提示システム１００は、営業部門のユーザ１０２に、４月５日から４月１５日まで、一般に係るニュース”商品Ａの発売が決まりました。”を提示する。
【００３１】
同様に、”４／２９〜５／７までシステムを停止します。”というニュースを登録すると共に、グループＩＤに”＊”、提示期間に”０４／１２−０４／１９”、分類に”運用”を設定することにより、ニュース提示システム１００は、全部門のユーザに、４月１２から４月１９日まで、運用に係るニュース”４／２９〜５／７までシステムを停止します。”を提示する。
【００３２】
一方、ユーザ１０１は、ニュース提示システム１００が提供する主サービスを利用しようとしてニュース提示システム１００にログインすると（ユースケースＵ１０２）、ログインしたユーザ１０１に提示するニュースが存在する場合には、ニュース提示システム１００からニュースが提示される。
【００３３】
「主サービス」とは、ニュース提示システム１００においてユーザ１０１に、本来、提供されるサービスをいう。ここでは、一例として、商品情報を検索する（ユースケースＵ１０３）サービス及び顧客情報を検索する（ユースケースＵ１０４）サービスとする。
【００３４】
そして、ユーザ１０１は、ニュースが提示された際に、非再提示条件として提示終了日等をニュース提示システム１００に設定登録する（ユースケースＵ１０５）。
「非再提示条件」とは、再提示されたくないと望むニュースに対してユーザ１０１がニュース毎又は分類毎に設定した条件を示す情報をいう。なお、非再提示条件として、提示終了日以外に、提示有効期間、提示有効回数等、又はこれらを組み合わせたものも該当する。
【００３５】
「提示終了日」とは、ニュースの提示が最後になる日をいう。
「提示有効期間」とは、ニュースの提示が有効とされる期間を示す情報をいう。
「提示有効回数」とは、ニュースの提示が有効とされる回数を示す情報をいう。
【００３６】
その後は、ニュース提示システム１００は、登録された非再提示条件に該当するニュース（以下、非再提示ニュースと呼称する。）は再提示の対象から除外し、それ以外のニュースを提示する。
【００３７】
図２は、ニュース提示システム１００のハードウェア構成を示す概要図である。
同図に示されるように、ニュース提示システム１００は、ユーザ１０１が設定登録した非再提示条件に基づいて、ニュースの再提示を制御する。また、ネットワーク１０８を介して相互に接続されるニュース表示装置１０９とニュース提示装置１１０とから構成される。
【００３８】
ニュース表示装置１０９は、ニュース提示装置１１０から提示されたニュースをユーザ１０１に表示する。また、図には示されてはいないが、ＣＰＵ（Central Processing Unit）、ＲＡＭ（Random Access Memory）、ＲＯＭ（Read Only Memory）、ＨＤ（Hard Disk）等を有する端末装置である。さらに、ＯＳ（Operating System）とニュース表示プログラムとがＨＤにインストールされている。そして、ＯＳ上で、ニュース表示プログラムが実行されると、ニュース提示装置１１０から提示されたニュースをユーザ１０１に表示する機能が実現される。
【００３９】
ニュース提示装置１１０は、本来なら期限が来るまでユーザ１０１に提示するニュースの中から非再提示ニュースを除外して残ったニュースを提示する。また、図には示されてはいないが、ＣＰＵ、ＲＡＭ、ＲＯＭ、ＨＤ等を有するホストコンピュータである。さらに、ＯＳとニュース提示プログラムとがＨＤにインストールされている。そして、ＯＳ上で、ニュース提示プログラムが実行されると、本来なら期限が来るまでユーザ１０１に提示する予定のニュースの中から非再提示ニュースを除外して残ったニュースを提示する機能が実現される。
【００４０】
図３は、ニュース提示装置１１０の機能構成を示すブロック図である。
同図に示されるように、ニュース提示装置１１０は、ユーザ認証部１１１、主サービス提供部１１２、ニュース提示部１１３、非再提示条件登録部１１４、ユーザ情報データベース１１５、ニュースデータベース１１６、非再提示条件データベース１１７、履歴情報データベース１１８、入力部１１９ａ、及び出力部１１９ｂを備える。
【００４１】
ユーザ認証部１１１は、図２に示されるニュース表示装置１０９を介して図１に示されるユーザ１０１から入力されたユーザアカウント情報が入力部１１９ａにおいて受信されると、受信されたユーザアカウント情報を入力部１１９ａから受け取り、受け取ったユーザアカウント情報に基づいてニュース提示装置１１０の利用許諾が与えられた真正ユーザであることを認証する。
【００４２】
「ユーザアカウント情報」とは、ユーザ１０１の名称とパスワードとからなる情報をいう。
主サービス提供部１１２は、ニュース提示装置１１０において本来提供されるサービスの項目を、出力部１１９ｂを経由してニュース表示装置１０９に送信し、ニュース表示装置１０９を介してユーザ１０１に提示する。
【００４３】
ニュース提示部１１３は、ユーザ１０１がニュース提示装置１２にログインした後において、ユーザ１０１に提示すべきニュースがニュースデータベース１１６に格納されている場合には、そのニュースを複写して、複写したニュースを所定のフォーマット又はレイアウトに従った内容に編集し、編集した内容を、出力部１１９ｂを経由してニュース表示装置１０９に送信し、ニュース表示装置１０９を介してユーザ１０１に提示する。
【００４４】
非再提示条件登録部１１４、ニュース表示装置１０９を介してユーザ１０１から入力された非再提示条件が入力部１１９ａにおいて受信されると、受信された非再提示条件を入力部１１９ａから受け取り、受け取った非再提示条件を非再提示条件データベース１１７に登録する。
【００４５】
ユーザ情報データベース１１５は、ニュース提示装置１１０の利用許諾が与えられたユーザ１０１に係る情報をユーザ毎に蓄積するデータベースである。
ニュースデータベース１１６は、ニュース表示装置１０９を介してユーザ１０１に提示されるニュースに係る情報をニュース毎に蓄積するデータベースである。
【００４６】
非再提示条件データベース１１７は、ユーザ１０１が非再提示にしたいと望むニュースに係る情報をユーザ１０１及びニュース毎に蓄積するデータベースである。
履歴情報データベース１１８は、ニュース提示部１１３によってニュースが提示される度に、提示されたニュースに係る情報（以下、履歴と呼称する。）を蓄積するデータベースである。
【００４７】
入力部１１９ａは、ニュース表示装置１０９からユーザアカウント情報を受信すると、受信したユーザアカウント情報をユーザ認証部１１１に渡す。非再提示条件を受信すると、受信した非再提示条件を非再提示条件登録部１１４に渡す。また、ユーザ情報データベース１１５に蓄積される情報がニュース提示装置１１０に備わる入力インターフェースを介して、直接、運用部門のユーザ１０６から入力されると、入力された情報をユーザ情報データベース１１５に登録する。同様に、ニュースデータベース１１６に蓄積される情報が入力されると、入力された情報をニュースデータベース１１６に登録する。
【００４８】
出力部１１９ｂは、ニュース提示装置１１０において本来提供されるサービスの項目を主サービス提供部１１２から受け取ると、受け取ったものをニュース表示装置１０９に送信する。ニュース提示部１１３から、複写したニュースを所定のフォーマット又はレイアウトに従った内容に編集したものを受け取ると、受け取ったものをニュース表示装置１０９に送信する。また、運用部門のユーザ１０６の操作に応じて、ユーザ情報データベース１１５、ニュースデータベース１１６、非再提示条件データベース１１７、又は履歴情報データベース１１８に蓄積されている情報を、ニュース提示装置１１０に備わる出力インターフェースを介して、直接、出力する。
【００４９】
図４は、ユーザ情報データベース１１４において蓄積されるユーザ情報テーブルの例を示す図である。
同図に示されるように、ユーザ情報テーブル１２０は、フィールド１２１〜１２４を含むユーザ情報レコードから構成される。
【００５０】
フィールド１２１は、ユーザのそれぞれに割り当てられた一意の識別情報（以下、ユーザＩＤと呼称する。）が登録されるデータフィールドである。
フィールド１２２は、ユーザが属するグループのそれぞれに割り当てられた一意の識別情報（以下、グループＩＤと呼称する。）が登録されるデータフィールドである。
【００５１】
フィールド１２３は、ユーザの名称（以下、ユーザ名と呼称する。）が登録されるデータフィールドである。
フィールド１２４は、ユーザが属するグループの名称（以下、グループ名と呼称する。）が登録されるデータフィールドである。
【００５２】
例えば、ユーザ情報テーブル１２０において、ユーザＩＤが”１”、グループＩＤが”１”であるユーザ情報レコードから、ユーザ名”鈴木”は、グループ名”営業”に属するユーザであることが示される。
【００５３】
図５は、ニュースデータベース１１６において蓄積されるニューステーブルの例を示す図である。
同図に示されるように、ニューステーブル１３０は、フィールド１３１〜１３５を含むニュースレコードから構成される。
【００５４】
フィールド１３１は、ニュースのそれぞれに割り当てられた一意の識別情報（以下、ニュースＩＤと呼称する。）が登録されるデータフィールドである。
フィールド１３２は、ニュースが提示されるグループに割り当てられたグループＩＤが登録されるデータフィールドである。
【００５５】
フィールド１３３は、ニュースが提示される期間を示す情報（以下、提示期間と呼称する。）が登録されるデータフィールドである。
フィールド１３４は、ニュースが属する分類を示す情報（以下、分類と呼称する。）が登録されるデータフィールドである。
【００５６】
フィールド１３５は、ニュースの内容を示す情報（以下、内容と呼称する。）が登録されるデータフィールドである。
例えば、ニューステーブル１３０において、ニュースＩＤが”２００４０４０１０１”、グループＩＤが”１”であるニュースレコードから、ニュース”商品Ａの発売が決まりました。”は、一般の分類に属するニュースであり、４月５日から４月１５日まで、営業部門のユーザに提示されることが示される。
【００５７】
図６は、非再提示条件データベース１１７において蓄積される非再提示条件テーブルの例を示す図である。
同図に示されるように、非再提示条件テーブル１４０は、フィールド１４１〜１４３を含む非再提示条件レコードから構成される。
【００５８】
フィールド１４１は、ニュースを再度提示してほしくないと望むユーザに割り当てられたユーザＩＤが登録されるデータフィールドである。
フィールド１４２は、非再提示ニュースに割り当てられたニュースＩＤが登録されるデータフィールドである。
【００５９】
フィールド１４３は、再提示される終了日を示す情報（以下、提示終了日と呼称する。）が登録されるデータフィールドである。
例えば、非再提示条件テーブルにおいて、ユーザＩＤが”１”、ニュースＩＤが”２００４０４０１０１”の非再提示条件レコードから、ニュース”商品Ａの発売が決まりました。”は、４月１２日を経過した後は、鈴木さんには提示されなくなることが示される。
【００６０】
図７は、履歴情報データベース１１８において蓄積される履歴情報テーブルの例を示す図である。
同図に示されるように、履歴情報テーブル１４５は、フィールド１４６〜１４８を含む履歴情報レコードから構成される。
【００６１】
フィールド１４６は、ユーザにニュースが提示された時（以下、タイムスタンプと呼称する。）が登録されるデータフィールドである。
フィールド１４７は、ユーザに提示されたニュースに割り当てられたニュースＩＤが登録されるデータフィールドである。
【００６２】
フィールド１４８は、提示されたユーザに割り当てられたユーザＩＤが登録されるデータフィールドである。
例えば、履歴情報テーブルにおいて、タイムスタンプが”Ｍｏｎ  Ａｐｒ  １２  １３：０５：２３”、ニュースＩＤが”２００４０４０１０１”の履歴情報レコードから、ニュース”商品Ａの発売が決まりました。”は、４月１２日に鈴木さんに提示されたことが示される。
【００６３】
図８は、ニュース提示部１１３の詳細な機能構成を示すブロック図である。
同図に示されるように、ニュース提示部１１３は、ユーザ情報検索部１５１、ユーザ情報記憶部１５２、ニュース検索部１５３、ニュース一覧表記憶部１５４、第１次ニュース絞込部１５５、第１存否判定部１５６、条件検索部１５７、条件一覧表記憶部１５８、条件絞込部１５９、第２次ニュース絞込部１６０、第２存否判定部１６１、提示内容構成部１６２、及び提示内容出力部１６３を備える。
【００６４】
ユーザ情報検索部１５１は、入力部１１９ａから受け取ったユーザアカウント情報に基づいて、ユーザ情報データベース１１５において管理されているユーザ情報テーブルの中から、該当するユーザ情報レコードを検索して取得する。
【００６５】
ユーザ情報記憶部１５２は、ユーザ情報検索部１５１において検索して取得したユーザ情報レコードを記憶する。
ニュース検索部１５３は、ログイン時など、ユーザ１０１にニュースを提示する際の時間に基づいて、ニュースデータベース１１６において管理されているニューステーブルの中から、該当するニュースレコードを検索して取得する。
【００６６】
ニュース一覧表記憶部１５４は、ニュース検索部１５３において検索して取得したニュースレコードを提示予定ニュースリストとして記憶する。
第１次ニュース絞込部１５５は、ユーザ情報記憶部１５２において記憶されているユーザ情報レコードに含まれるグループＩＤに基づいて、ニュース一覧表記憶部１５４において記憶されている提示予定ニュースリストの中から、提示の対象にならないニュースレコードを削除してユーザ１０１に提示する予定のニュースを絞り込む。
【００６７】
第１存否判定部１５６は、ニュース一覧表記憶部１５４において記憶されているニュース情報が存在するか否かを判定する。
条件検索部１５７は、ユーザ情報記憶部１５２において記憶されているユーザ情報レコードに基づいて、非再提示条件データベースにおいて管理されている非再提示条件テーブルの中から、該当する非再提示条件レコードを検索して取得する。
【００６８】
条件一覧表記憶部１５８は、条件検索部１５７において検索して取得した非再提示条件レコードを非再提示条件候補リストとして記憶する。
条件絞込部１５９は、ニュースを提示する時を基準にして、条件一覧表記憶部１５８において記憶されている非再提示条件候補リストの中から、提示終了日が過ぎ去った非再提示条件レコード以外を削除して第２次ニュース絞込部１６０において用いられる非再提示条件を絞り込む。
【００６９】
第２次ニュース絞込部１６０は、条件一覧表記憶部１５８において記憶されている非再提示条件候補リストに基づいて、ニュース一覧表記憶部１５４において記憶されている提示予定ニュースリストの中から、提示の対象にならないニュースレコードを削除してユーザ１０１に提示するニュースを絞り込む。
【００７０】
第２存否判定部１６１は、ニュース一覧表記憶部１５４において記憶されている提示予定ニュースリストのニュースレコードが存在するか否かを判定する。
提示内容構成部１６２は、ニュース一覧表記憶部１５４において記憶されている提示予定ニュースリストを、所定のフォーマット又はレイアウトに従って構成する。
【００７１】
提示内容出力部１６３は、構成したものを出力部１１９ｂを経由してニュース表示装置に送信し、ニュース表示装置１０９を介してユーザ１０１に提示する。
なお、ユーザ情報記憶部１５２、ニュース一覧表記憶部１５４、条件一覧表記憶部１５８のそれぞれの記憶領域については、ニュース提示プログラムの実行に伴い、各記憶領域を割り当てるステップによって、ニュース提示装置１１０のＲＡＭにそれぞれ割り当てられた記憶領域である。
【００７２】
図９Ａ（ａ）、（ｂ）は、条件一覧表記憶部１５８において記憶される非再提示条件候補リストの例を示す図である。
ここでは、営業の鈴木さんが、４月１３日にニュース提示システム１００にログインしてニュースが提示された場面を想定して説明する。
【００７３】
図９Ａ（ａ）に示されるように、非再提示条件候補リスト１６４は、条件検索部１５７によって、ユーザＩＤに”１”（鈴木さんに割り当てられたＩＤである。）を含む非再提示条件レコードを非再提示条件テーブル１４０から検索して得られるリストである。
【００７４】
図９Ｂ（ｂ）に示されるように、非再提示条件候補リスト１６５は、条件絞込部１５９によって、ニュースを提示する日である４月１３日よりも提示終了日が後になる非再提示条件レコードを非再提示条件候補リスト１６４から削除して得られるリストである。
【００７５】
例えば、ニュースＩＤが”２００４０４０１０１”である非再提示条件レコードは、提示終了日が”０４／１２”であるため、４月１２日を経過した後は、ニュースＩＤ”２００４０４０４０１０１”のニュースが鈴木さんには提示されなくなる。
【００７６】
図９Ｂ（ａ），（ｂ），（ｃ）は、ニュース一覧表記憶部１５４において記憶される提示予定ニュースリストの例を示す図である。
図９Ｂ（ａ）に示されるように、提示予定ニュースリスト１６６は、ニュース検索部１５３によって、提示期間に４月１３日を含むニュースレコードをニューステーブル１３０から検索して得られるリストである。
【００７７】
例えば、ニューステーブル１３０において、ニュースＩＤが”２００４０４０２０１”であるニュースレコードは、提示期間が”０４／０５−０４／０９”であり、検索にあたって用いられる提示期間”４月１３日”を含まないために除外され、結果、提示予定ニュースリスト１６４には含まれない。
【００７８】
図９Ｂ（ｂ）に示されるように、提示予定ニュースリスト１６７は、第１次ニュース絞込部１５５によって、鈴木さんが属する営業に割り当てられたグループＩＤである”１”をグループＩＤに含まないニュースレコードを提示予定ニュースリスト１６４から削除して得られるリストである。
【００７９】
例えば、提示予定ニュースリスト１６４において、ニュースＩＤが”２００４０４０５０１”であるニュースレコードは、グループＩＤが”４，５”であり、絞り込みにあたって用いられるグループＩＤ”１”を含まないために除外され、結果、提示予定ニュースリスト１６５には含まれない。
【００８０】
図９Ｂ（ｃ）に示されるように、提示予定ニュースリスト１６８は、第２次ニュース絞込部１６０によって、非再提示条件候補リスト１６５を構成する非再提示条件レコードのニュースＩＤを含むニュースレコードを提示予定ニュースリスト１６５から削除して得られるリストである。
【００８１】
例えば、提示予定ニュースリスト１６５において、ニュースＩＤが”２００４０４０１０１”であるニュースレコードは、絞り込みにあたって用いられる非再提示条件候補リスト１６８において、ニュースＩＤが”２００４０１０１”である非再提示条件レコードに該当し、該当する非再提示条件レコードの提示終了日が”０４／１２”であるために除外され、結果、提示予定ニュースリスト１６６には含まれない。
【００８２】
以上のように構成されたニュース提示システム１００について、その動作を説明する。
ここでは、ニュース表示装置１０９を介してユーザ１０１に表示される画面例を交えながら、一連の処理の流れについて説明する。
【００８３】
図１０は、ニュース提示システム１００の状態遷移を示すステートマシン図である。
同図に示されるように、ニュース提示システム１００は、初期状態Ｓ１００からユーザ認証状態Ｓ１０１、ニュース提示状態Ｓ１０２、非再提示条件登録状態Ｓ１０３、主サービス提供状態Ｓ１０４の状態等を経て終了状態Ｓ１０５に遷移する。
【００８４】
図１０に示されるように、ニュース表示装置１０９は、ニュース表示プログラムが実行されると、ニュース提示装置１１０にアクセスする（初期状態Ｓ１００）。
ユーザ認証部１１１は、初期状態Ｓ１００又は主サービス提供状態Ｓ１０４からユーザ認証状態Ｓ１０１に遷移すると、ニュース表示装置１０９を介してユーザ１０１に図９に示すユーザ認証画面を表示する（ユーザ認証状態Ｓ１０１）。
【００８５】
図１１は、ニュース表示装置１０９を介してユーザ１０１に表示されるユーザ認証画面の例を示す図である。
同図に示されるように、ユーザ認証画面１７０ａには、入力欄１７１ａ、１７２ａ、選択決定欄１７３ａ〜１７５ａが配置されている。
【００８６】
入力欄１７１ａは、ニュース提示装置１１０にログインするユーザのユーザ名が入力される欄である。
入力欄１７２ａは、予めニュース提示装置１１０に登録されているユーザ１０１のパスワードが入力される欄である。
【００８７】
選択決定欄１７３ａは、選択決定されると、入力欄１７１ａ、１７２ａに入力された情報（以下、ユーザアカウント情報と呼称する。）をクリアする欄である。
選択決定欄１７４ａは、選択決定されると、入力欄１７１ａ、１７２ａに入力された情報を受け付ける欄である。
【００８８】
選択決定欄１７５ａは、選択決定されると、終了状態Ｓ１０５に遷移する欄である。
そして、ユーザ１０１が入力欄１７１ａにユーザ名を入力し、入力欄１７２ａにパスワードを入力して選択決定欄１７４ａを選択決定すると、図１０に示されるように、ユーザ認証部１１１は、受け付けたユーザアカウント情報に基づいてユーザ認証を行い、真正ユーザである場合（図１０においては、認証［ＯＫ］の場合である。）には、二ユース提示状態Ｓ１０２に遷移し、否の場合（図１０においては、認証［ＮＧ］の場合である。）には、ユーザ認証状態Ｓ１０１に遷移する。
【００８９】
「ユーザ認証」とは、ニュース提示装置１１０が提供する主サービスの利用が有効である真正ユーザであるか否かを判定する処理である。
図１０に示されるように、ニュース提示部１１３は、ユーザ認証状態Ｓ１０１又は主サービス提供状態Ｓ１０４からニュース提示状態Ｓ１０２に遷移すると、図１２〜図１５に示すニュース提示処理を実行する（ニュース提示状態Ｓ１０２）。
【００９０】
図１２、図１３は、ニュース提示処理を示すフローチャートである。
図１２に示されるように、ユーザ情報検索部１５１は、ユーザアカウント情報に基づいてユーザ情報を検索するユーザ情報検索処理を実行する（ステップＳ１１１）。ニュース検索部１５３は、ニュースを提示する時間に基づいて提示予定ニュースを検索するニュース検索処理を実行する（ステップＳ１１２）。第１次ニュース絞込部１５５は、図１４に示される第１次ニュース絞込処理を実行する（ステップＳ１１３）。そして、第１存否判定部１５６は、ニュース一覧表記憶部１５４に記憶されている提示予定ニュースリストにニュースレコードが存在するか否かを判定し（ステップＳ１１４）、否の場合には、”ＦＡＩＬＵＲＥ”を返して（ステップＳ１１５）、ニュース提示処理を終了する。
【００９１】
図１３に示されるように、第１存否判定部１５６は、ニュース一覧表記憶部１５４に記憶されている提示予定ニュースリストにニュースレコードが存在するか否かを判定し（ステップＳ１１４）、存在する場合には、条件検索部１５７は、ユーザアカウント情報に基づいて非再提示条件を検索する条件検索処理を実行する（ステップＳ１１６）。条件絞込部１５９は、提示を終了した非再提示条件レコード以外を非再提示条件候補リストから削除する条件絞込処理を実行する（ステップＳ１１７）。第２次ニュース絞込部１６０は、図１５に示される第２次ニュース絞込処理を実行する（ステップＳ１１８）。そして、第２存否判定部１６１は、ニュース一覧表記憶部１５４に記憶されている提示予定ニュースリストにニュースレコードが存在するか否かを判定し（ステップＳ１１９）、存在する場合には、提示内容構成部１６２は、ニュース一覧表記憶部１５４に記憶されている提示予定ニュースリストから提示内容を構成する提示内容構成処理を実行する（ステップＳ１２０）。提示内容出力部１６３は、構成された提示内容をニュース表示装置１０９を介してユーザ１０１に出力する提示内容出力処理を実行し（ステップＳ１２１）、”ＳＵＣＣＥＳＳ”を返して（ステップＳ１２２）、ニュース提示処理を終了する。
【００９２】
なお、第２存否判定部１６１は、ニュース一覧表記憶部１５４に記憶されている提示予定ニュースリストにニュースレコードが存在するか否かを判定し（ステップＳ１１９）、否の場合には、”ＦＡＩＬＵＲＥ”を返して（ステップＳ１１５）、ニュース提示処理を終了する。
【００９３】
図１４は、第１次ニュース絞込処理を示すフローチャートである。
同図に示されるように、第１次ニュース絞込部１５５は、ニュース一覧表記憶部１５４において記憶されている提示予定ニュースリストの中から、まだ読み出していないニュースレコードが存在するか否かを判定し（ステップＳ１３１）、存在する場合には、まだ読み出していないニュースレコードを提示予定ニュースリストから読み出す（ステップＳ１３２）。読み出したニュースレコードに含まれるグループＩＤと、ユーザ情報記憶部１２２に記憶されているユーザ情報レコードのグループＩＤとが一致するか否かを判定し（ステップＳ１３３）、一致する場合には、ニュース一覧表記憶部１５４において記憶されている提示予定ニュースリストの中から、まだ読み出していないニュースレコードが存在するか否かを判定する（ステップＳ１３１）。
【００９４】
なお、第１次ニュース絞込部１５５は、読み出したニュースレコードに含まれるグループＩＤと、ユーザ情報記憶部１２２に記憶されているユーザ情報レコードのグループＩＤとが一致するか否かを判定し（ステップＳ１３３）、否の場合には、読み出したニュースレコードを提示予定ニュースリストから削除し（ステップＳ１３４）、ニュース一覧表記憶部１５４において記憶されている提示予定ニュースリストの中から、まだ読み出していないニュースレコードが存在するか否かを判定する（ステップＳ１３１）。
【００９５】
なお、第１次ニュース絞込部１５５は、ニュース一覧表記憶部１５４において記憶されている提示予定ニュースリストの中から、まだ読み出していないニュースレコードが存在するか否かを判定し（ステップＳ１３１）、否の場合には、第１次ニュース絞込処理を終了する。
【００９６】
図１５は、第２次ニュース絞込処理を示すフローチャートである。
同図に示されるように、第２次ニュース絞込部１６０は、条件一覧表記憶部１５８において記憶されている非再提示条件候補リストから、まだ読み出していない非再提示条件レコードが存在するか否かを判定し（ステップＳ１４１）、存在する場合には、まだ読み出していない非再提示条件レコードを非再提示条件候補リストから読み出す（ステップＳ１４２）。ニュース一覧表記憶部１５４において記憶されている提示予定ニュースリストから、まだ読み出していないニュースレコードが存在するか否かを判定し（ステップＳ１４３）、存在する場合には、まだ読み出していないニュースレコードを提示予定ニュースリストから読み出す（ステップＳ１４４）。読み出したニュースレコードに含まれるニュースＩＤと、読み出した非再提示条件レコードに含まれるニュースＩＤとが一致するか否かを判定し（ステップＳ１４５）、一致する場合には、読み出したニュースレコードを提示予定ニュースリストから削除し（ステップＳ１４６）、ニュース一覧表記憶部１５４において記憶されている提示予定ニュースリストから、まだ読み出していないニュースレコードが存在するか否かを判定する（ステップＳ１４３）。
【００９７】
なお、第２次ニュース絞込部１６０は、読み出したニュースレコードに含まれるニュースＩＤと、読み出した非再提示条件レコードに含まれるニュースＩＤとが一致するか否かを判定し（ステップＳ１４５）、否の場合には、ニュース一覧表記憶部１５４において記憶されている提示予定ニュースリストから、まだ読み出していないニュースレコードが存在するか否かを判定し（ステップＳ１４３）、否の場合には、条件一覧表記憶部１５８において記憶されている非再提示条件候補リストから、まだ読み出していない非再提示条件レコードが存在するか否かを判定し（ステップＳ１４１）、否の場合には、第２次ニュース絞込処理を終了する。
【００９８】
図１６は、ニュース表示装置１０９を介してユーザ１０１に表示されるニュース提示画面の例を示す図である。
同図に示されるように、ニュース提示画面１７０ｂには、表示欄１７１ｂ、１７２ｂ、選択決定欄１７３ｂ〜選択決定欄１７６ｂが配置されている。
【００９９】
表示欄１７１ｂは、運用ユーザ１０６によって設定登録されたニュースの属性に係る情報が表示される。
表示欄１７２ｂは、ニュースが表示される欄である。
【０１００】
選択決定欄１７３ｂは、選択決定されると、提示するニュースが複数存在する場合において、先に表示されたニュースに表示を切り替える欄である。
選択決定欄１７４ｂは、選択決定されると、図１０に示される主サービス提供状態Ｓ１０４に遷移する欄である。
【０１０１】
選択決定欄１７５ｂは、選択決定されると、図１０に示される非再提示条件登録状態Ｓ１０３に遷移する欄である。
選択決定欄１７６ｂは、選択決定されると、提示するニュースが複数存在する場合において、次に表示されるニュースに表示を切り替える欄である。
【０１０２】
なお、破線で示される選択決定欄１７３ｂは、先のニュースが存在しないことを意味し、破線で示される選択決定欄１７６ｂは、次のニュースが存在しないことを意味する。
図１０に示されるように、非再提示条件登録部１１４は、ニュース提示状態Ｓ１０２又は主サービス提供状態Ｓ１０４から非再提示条件登録状態Ｓ１０３に遷移すると、ニュース表示装置１０９を介してユーザ１０１に図１７に示す非再提示登録条件画面を表示する（非再提示条件登録状態Ｓ１０３）。
【０１０３】
図１７は、ニュース表示装置１０９を介してユーザ１０１に表示される非再提示条件登録画面の例を示す図である。
同図に示されるように、非再提示条件登録画面１７０ｃには、表示欄１７１ｃ、入力欄１７２ｃ、選択決定欄１７３ｃ〜１７７ｃが配置されている。
【０１０４】
表示欄１７１ｃは、非再提示条件が設定登録されるニュースが表示される欄である。
入力欄１７２ｃは、提示終了日が入力される欄である。
選択決定欄１７３ｃは、選択決定されると、提示するニュースが複数存在する場合において、先に表示されたニュースに表示を切り替える欄である。
【０１０５】
選択決定欄１７４ｃは、選択決定されると、入力欄１７２ｃに入力された情報（提示終了日）がクリアされる欄である。
選択決定欄１７５ｃは、選択決定されると、入力欄１７２ｃに入力された内容を非再提示条件として受け付け、受け付けた非再提示条件を非再提示条件データベースに登録して遷移前の状態、ニュース提示状態Ｓ１０２又は主サービス提供状態Ｓ１０４に戻る欄である。
【０１０６】
選択決定欄１７６ｃは、選択決定されると、入力欄１７２ｃに入力された情報を廃棄して遷移前の状態、ニュース提示状態Ｓ１０２又は主サービス提供状態Ｓ１０４に戻る欄である。
【０１０７】
選択決定欄１７７ｃは、選択決定されると、提示するニュースが複数存在する場合において、次に表示されるニュースに表示を切り替える欄である。
なお、破線で示される選択決定欄１７３ｃは、先のニュースが存在しないことを意味し、破線で示される選択決定欄１７７ｃは、次のニュースが存在しないことを意味する。
【０１０８】
図１０に示されるように、主サービス提供部１１２は、ニュース提示状態Ｓ１０２から主サービス提供状態Ｓ１０４に遷移すると、ニュース表示装置１０９を介してユーザ１０１に図１８に示す主サービス提供画面を表示する。
【０１０９】
図１８は、ニュース表示装置１０９を介してユーザ１０１に表示される主サービス提供画面の例を示す図である。
同図に示されるように、主サービス提供画面１７０ｄには、選択決定欄１７１ｄ〜１７５ｄが配置されている。
【０１１０】
選択決定欄１７１ｄは、選択決定されると、図には示されていないが、商品情報を検索する状態に遷移する欄である。
選択決定欄１７２ｄは、選択決定されると、図には示されていないが、顧客情報を検索する状態に遷移する欄である。
【０１１１】
選択決定欄１７３ｄは、選択決定されると、ニュース提示状態Ｓ１０２に遷移する項目である。
選択決定欄１７４ｄは、選択決定されると、非再提示条件登録状態Ｓ１０３に遷移する項目である。
【０１１２】
選択決定欄１７５ｄは、選択決定されると、ユーザ認証状態Ｓ１０１に遷移する項目である。
なお、ニュース表示装置１０９において、所定の間、ユーザ１０１からの入力又は応答がない場合には、タイムアウトとなりアクセスが終了する（終了状態Ｓ１０５）。
【０１１３】
ここで、次に掲げる事前条件（１）〜（７）を前提として、一連の処理について具体例を交えながら説明する。
（１）営業の鈴木さんは、４月１３日に、ニュース表示装置１０９を介してニュース提示装置１１０にアクセスした。
（２）ニュース提示装置１１０は、営業の鈴木さんからのアクセスを受けて鈴木さんに複数のニュースを提示した。
（３）鈴木さんに提示されたニュースは、ニュースＩＤの昇順にニュース提示画面に表示された。
（４）一番最後に表示されたニュースは、ニュースＩＤが”２００４０４０７０１”のニュースである。
（５）鈴木さんは、ニュースＩＤが”２００４０４０７０１”のニュースについて、非再提示条件を設定登録しようと思った。
（６）鈴木さんは、ニュース提示画面に配置された非再提示の選択決定欄を選択決定した。
（７）ニュース提示装置１１０は、ニュース提示画面から図１９に示される非再提示条件登録画面に表示を切り替えた。
【０１１４】
図１９は、動作例における非再提示条件登録画面の例を示す図である。
同図に示されるように、非再提示条件登録画面１８０の表示欄１８１に、ニュースＩＤが”２００４０４０７０１”のニュースが表示されている。そして、鈴木さんは、このニュースに対して、入力欄１８２に”０４／１５”を設定し、選択決定欄１８５を選択決定した。これに対して、ニュース提示装置１１０は、図６に示されるように、ユーザＩＤ”１”、ニュースＩＤ”２００４０４０７０１”、提示終了日”０４／１５”を含むレコードを、非再提示条件テーブルに登録した。その結果、図２０に示されるように、設定登録しなかった場合と比べて、提示されなくなるまでの時期が前倒しになる。第２次ニュース絞込処理のステップＳ１４５において、ニュースＩＤ”２００４０４０７０１”のニュースが提示予定ニュースリストから除外されるためである。
【０１１５】
図２０は、非再提示条件を設定登録した場合と、設定登録しなかった場合との画面表示例の変遷を示す図である。
同図に示されるように、下段に、非再提示条件を設定登録した場合における画面表示例の変遷を示し、上段に、非再提示条件を設定登録しなかった場合における画面表示例の変遷を示している。
【０１１６】
ニュース提示画面１９１、１９５は、４月１２に表示されるそれぞれの内容である。
ニュース提示画面１９２、１９６は、４月１５に表示されるそれぞれの内容である。
ニュース提示画面１９３、１９７は、４月１６に表示されるそれぞれの内容である。
【０１１７】
ニュース提示画面１９４、１９８は、４月２９に表示されるそれぞれの内容である。
本来ならば、非再提示条件を設定登録しなければ、ニュース提示画面１９５〜１９８に示されるように、ニュースＩＤ”２００４０４０７０１”は、鈴木さんも含めて全ユーザに４月２８日まで提示される。
【０１１８】
しかし、提示終了日を”０４／１５”に設定登録したことにより、ニュース提示画面１９１〜１９４に示されるように、ニュースＩＤ”２００４０４０７０１”は、４月２９日から前倒して４月１６日以降から、鈴木さんには提示されなくなる。
【０１１９】
（実施の形態２）
次に、本発明の実施の形態２について、図面を参照しながら説明する。なお、実施の形態２においては、実施の形態１と比べて、非再提示条件として、提示終了日の代わりに、図２１に示す提示有効期間とする点が異なる。
【０１２０】
図２１は、実施の形態２における非再提示条件登録画面の例を示す図である。
同図に示されるように、非再提示条件登録画面１８０ａの表示欄１８１ａに、ニュースＩＤが”２００４０４０７０１”のニュースが表示されている。そして、鈴木さんは、このニュースに対して、入力欄１８２ａに”３”を設定し、選択決定欄１８５ａを選択決定した。これに対して、ニュース提示装置１１０は、図２２に示されるように、ユーザＩＤ”１”、ニュースＩＤ”２００４０４０７０１”、登録日”０４／１３”、提示有効期間”０４／１５”を含む非再提示条件レコードを非再提示条件テーブル１４０ａに登録した。
【０１２１】
図２２は、実施の形態２における非再提示条件テーブルの例を示す図である。
同図に示されるように、非再提示条件テーブル１４０ａは、フィールド１４１ａ〜１４４ａを含む非再提示条件レコードから構成される。
【０１２２】
フィールド１４１ａは、ニュースを再度提示してほしくないと望むユーザに割り当てられたユーザＩＤが登録されるデータフィールドである。
フィールド１４２ａは、非再提示ニュースに割り当てられたニュースＩＤが登録されるデータフィールドである。
【０１２３】
フィールド１４３ａは、本レコードが登録された日を示す情報（以下、登録日と呼称する。）が登録されるデータフィールドである。
フィールド１４４ａは、提示される有効の期間を示す情報（以下、提示有効期間と呼称する。）が登録されるデータフィールドである。
【０１２４】
また、これに伴い、図には示されていないが、実施の形態２における条件絞込部は、実施の形態１における条件絞込部１５９と比べると、登録日からユーザにニュースを提示する時が、提示有効期間を越えていると、ユーザに再提示するニュースと判定し、非再提示条件候補リストから該当するレコードを削除する点が異なる。
【０１２５】
そして、図２３に示されるように、設定登録しなかった場合と比べて、提示されなくなるまでの時期が前倒しになる。
例えば、非再提示条件テーブル１４０ａにおいて、ユーザＩＤが”１”、ニュースＩＤが”２００４０７０１０１”の非再提示条件レコードから、ニュース”４／２９〜５／７まで休みになります。”は、４月１３日を起算日とした３日後の４月１５日を経過した後は、鈴木さんには提示されなくなる。
【０１２６】
図２３は、実施の形態２において、非再提示条件を設定登録した場合と、設定登録しなかった場合との画面表示例の変遷を示す図である。
同図に示されるように、下段に、非再提示条件を設定登録した場合における画面表示例の変遷を示し、上段に、非再提示条件を設定登録しなかった場合における画面表示例の変遷を示している。
【０１２７】
ニュース提示画面１９１ａ、１９５ａは、４月１２に表示されるそれぞれの内容である。
ニュース提示画面１９２ａ、１９６ａは、４月１５に表示されるそれぞれの内容である。
【０１２８】
ニュース提示画面１９３ａ、１９７ａは、４月１６に表示されるそれぞれの内容である。
ニュース提示画面１９４ａ、１９８ａは、４月２９に表示されるそれぞれの内容である。
【０１２９】
本来ならば、非再提示条件を設定登録しなければ、ニュース提示画面１９５ａ〜１９８ａに示されるように、ニュースＩＤ”２００４０４０７０１”は、鈴木さんも含めて全ユーザに４月２８日まで提示される。
【０１３０】
しかし、登録日”０４／１３”に、提示有効期間を”３”日に設定登録したことにより、ニュース提示画面１９１ａ〜１９４ａに示されるように、ニュースＩＤ”２００４０４０７０１”は、４月２９日から前倒して４月１６日以降から、鈴木さんには提示されなくなる。
【０１３１】
（実施の形態３）
次に、本発明の実施の形態３について、図面を参照しながら説明する。なお、実施の形態３においては、実施の形態１と比べて、非再提示条件として、提示終了日の代わりに、図２４に示す提示有効回数とする点が異なる。
【０１３２】
図２４は、実施の形態３における非再提示条件登録画面の例を示す図である。
同図に示されるように、非再提示条件登録画面１８０ｂの表示欄１８１ｂに、ニュースＩＤが”２００４０４０７０１”のニュースが表示されている。そして、鈴木さんは、このニュースに対して、入力欄１８２ｂに”２”を設定し、選択決定欄１８５ｂを選択決定した。これに対して、ニュース提示装置１１０は、図２５に示されるように、ユーザＩＤ”１”、ニュースＩＤ”２００４０４０７０１”、提示有効回数”２”を含む非再提示条件レコードを非再提示条件テーブル１４０ｂに登録した。
【０１３３】
図２５は、実施の形態３における非再提示条件テーブルの例を示す図である。
同図に示されるように、非再提示条件テーブル１４０ｂは、フィールド１４１ｂ〜１４４ｂを含む非再提示条件レコードから構成される。
【０１３４】
フィールド１４１ｂは、ニュースを再度提示してほしくないと望むユーザに割り当てられたユーザＩＤが登録されるデータフィールドである。
フィールド１４２ｂは、非再提示ニュースに割り当てられたニュースＩＤが登録されるデータフィールドである。
【０１３５】
フィールド１４３ｂは、本レコードが登録された日を示す情報（以下、登録日と呼称する。）が登録されるデータフィールドである。
フィールド１４４ｂは、再度提示される回数を示す情報（以下、提示有効回数と呼称する。）が登録されるデータフィールドである。
【０１３６】
また、これに伴い、図には示されていないが、実施の形態３における条件絞込部は、条件絞込部１５９と比べると、履歴情報データベース１１８において蓄積されている履歴を参照し、登録日からユーザにニュースを提示した回数が、提示有効回数を超えていないと、ユーザに再提示するニュースと判定し、非再提示条件候補リストから該当するレコードを削除する点が異なる。
【０１３７】
そして、図２６に示されるように、設定登録しなかった場合と比べて、提示回数によって提示されなくなるまでの時期が前倒しになる。
例えば、非再提示条件テーブル１４０ｂにおいて、ユーザＩＤが”１”、ニュースＩＤが”２００４０７０１０１”の非再提示条件レコードから、ニュース”４／２９〜５／７まで休みになります。”は、ニュースが提示される回数を１日に１回と仮定すれば、４月１３日に非再提示条件レコードを設定登録してから、２回目の提示を受ける４月１５日を経過した後は、鈴木さんには提示されなくなる。
【０１３８】
図２６は、実施の形態３において、非再提示条件を設定登録した場合と、設定登録しなかった場合との画面表示例の変遷を示す図である。
同図に示されるように、下段に、非再提示条件を設定登録した場合における画面表示例の変遷を示し、上段に、非再提示条件を設定登録しなかった場合における画面表示例の変遷を示している。
【０１３９】
ニュース提示画面１９１ｂ、１９５ｂは、４月１３日（０回目）に表示されるそれぞれの内容である。
ニュース提示画面１９２ｂ、１９６ｂは、４月１５日（２回目）に表示されるそれぞれの内容である。
【０１４０】
ニュース提示画面１９３ｂ、１９７ｂは、４月１６日（３回目）に表示されるそれぞれの内容である。
ニュース提示画面１９４ｂ、１９８ｂは、４月２９に表示されるそれぞれの内容である。
【０１４１】
本来ならば、非再提示条件を設定登録しなければ、ニュース提示画面１９５ｂ〜１９８ｂに示されるように、ニュースＩＤ”２００４０４０７０１”は、４月２８日まで鈴木さんに提示される。
【０１４２】
しかし、登録日”０４／１３”に、提示有効回数を”２”回に設定登録したことにより、ニュース提示画面１９１ｂ〜１９４ｂに示されるように、ニュースＩＤ”２００４０４０７０１”は、４月２９日から前倒して４月１６日以降から、鈴木さんには提示されなくなる。
【０１４３】
（実施の形態４）
次に、本発明の実施の形態４について、図面を参照しながら説明する。なお、実施の形態４においては、実施の形態２と比べて、ニュース単位の代わりに、図２７に示すニュースの分類単位で非再提示となる点が異なる。
【０１４４】
図２７は、実施の形態４における非再提示条件登録画面の例を示す図である。
同図に示されるように、非再提示条件登録画面１８０ｃの表示欄１８１ｃに、入力欄１８１ｃ、１８２ｃに入力を促す説明が表示されている。
【０１４５】
そして、鈴木さんは、再提示を望まないニュースの分類として、入力欄１８２ｃに”一般”を設定し、この分類に属するニュースが再提示されなくなるまでの期間として、入力欄１８３ｃに”３”日を設定し、選択決定欄１８５ｃを選択決定した。これに対して、ニュース提示装置１１０は、図２８に示されるように、ユーザＩＤ”１”、分類”一般”、提示有効期間”３”を含む非再提示条件レコードを非再提示条件テーブル１４０ｃに登録した。
【０１４６】
図２８は、実施の形態４における非再提示条件テーブルの例を示す図である。
同図に示されるように、非再提示条件テーブル１４０ｃは、フィールド１４１ｃ〜１４３ｃを含む非再提示条件レコードから構成される。
【０１４７】
フィールド１４１ｃは、ニュースを再度提示してほしくないと望むユーザに割り当てられたユーザＩＤが登録されるデータフィールドである。
フィールド１４２ｃは、再提示を望まないニュースの分類が登録されるデータフィールドである。
【０１４８】
フィールド１４３ｃは、提示有効期間が登録されるデータフィールドである。
また、これに伴い、図には示されていないが、実施の形態４における条件絞込部は、実施の形態２における条件絞込部と比べると、履歴情報データベース１１８において蓄積されている履歴を参照し、分類に属するニュースをユーザに提示した最初の時から、そのニュースをそのユーザに再提示する時が、提示有効期間を越えていないと、ユーザに再提示するニュースと判定し、非再提示条件候補リストから該当するレコードを削除する点が異なる。
【０１４９】
そして、図２３に示されるように、設定登録しなかった場合と比べて、提示されなくなるまでの時期が前倒しになる。例えば、非再提示条件テーブル１４０ｃにおいて、ユーザＩＤが”１”、分類が”一般”、提示有効期間が”３”の非再提示条件レコードから、”一般”の分類に属するニュース”４／２９〜５／７まで休みになります。”は、４月１３日に鈴木さんに提示されると、４月１３日を起算日とした３日後の４月１５日を経過した後は、鈴木さんには提示されなくなる。
【０１５０】
（実施の形態５）
次に、本発明の実施の形態５について、図面を参照しながら説明する。なお、実施の形態５においては、実施の形態３と比べて、ニュース単位の代わりに、図２９に示すニュースの分類単位で非再提示となる点が異なる。
【０１５１】
図２９は、実施の形態５における非再提示条件登録画面の例を示す図である。
同図に示されるように、非再提示条件登録画面１８０ｄの表示欄１８１ｄに、入力欄１８２ｄ、１８３ｄに入力を促す説明が表示されている。
【０１５２】
そして、鈴木さんは、再提示を望まないニュースの分類として、入力欄１８２ｄに”一般”を設定し、この分類に属するニュースが再提示されなくなるまでの回数として、入力欄１８３ｄに”２”回を設定し、選択決定欄１８５ｄを選択決定した。これに対して、ニュース提示装置１１０は、図３０に示されるように、ユーザＩＤ”１”、分類”一般”、提示有効回数”２”を含む非再提示条件レコードを非再提示条件テーブル１４０ｄに登録した。
【０１５３】
図３０は、実施の形態５における非再提示条件テーブルの例を示す図である。
同図に示されるように、非再提示条件テーブル１４０ｄは、フィールド１４１ｄ〜１４３ｄを含む非再提示条件レコードから構成される。
【０１５４】
フィールド１４１ｄは、ニュースを再度提示してほしくないと望むユーザに割り当てられたユーザＩＤが登録されるデータフィールドである。
フィールド１４２ｄは、再提示を望まないニュースの分類が登録されるデータフィールドである。
【０１５５】
フィールド１４３ｄは、提示有効回数が登録されるデータフィールドである。
また、これに伴い、図には示されていないが、実施の形態５における条件絞込部は、実施の形態３における条件絞込部と比べると、履歴情報データベース１１８において蓄積されている履歴を参照し、分類に属するニュースをユーザに提示した最初の時から数えて、そのニュースをそのユーザに提示した回数が、提示有効回数を越えていると、ユーザに再提示しないニュースと判定し、非再提示条件候補リストから該当するレコードを削除せず、提示有効回数を越えていないと、ユーザに再提示するニュースと判定し、非再提示条件候補リストから該当するレコードを削除する点が異なる。
【０１５６】
そして、図２６に示されるように、設定登録しなかった場合と比べて、提示されなくなるまでの時期が前倒しになる。例えば、非再提示条件テーブル１４０ｄにおいて、ユーザＩＤが”１”、分類が”一般”、提示有効回数が”２”の非再提示条件レコードから、”一般”の分類に属するニュース”４／２９〜５／７まで休みになります。”は、４月１３日に非再提示条件レコードを設定登録してから、１日１回ニュースの提示を受けると、２回目の提示を受けた４月１５日を経過した後は、鈴木さんには提示されなくなる。
【０１５７】
以上、説明したように、本発明に係るニュース提示装置によって、ユーザは、本来ならば期限が来るまで提示され続けるニュースに対して、非再提示条件を設定登録しておくことにより、提示される期間及び頻度等をユーザの都合で制御することができる。
【０１５８】
これに伴い、提示を受けて無益と感じたニュースについては、次からはスキップして有益なニュースにすばやくアクセスすることができる。
また、条件を設定するにあたっても、ニュースが表示される度に、条件設定ができるようにすることにより、条件設定に到達するまでの煩雑さを省略することができる。
【０１５９】
なお、条件絞込部は、提示終了日、提示有効期間、及び提示有効回数の組み合わせを用いて非再提示条件候補リストを絞り込むとしてもよい。この場合において、提示有効期間を用いるにあたっては、実施の形態２における条件絞込部のように振る舞い、提示有効回数を用いるにあたっては実施の形態３における条件絞込部のように振る舞うとしてもよい。
【０１６０】
なお、ニュース提示プログラムを、光学記録媒体（例えば、ＣＤ−ＲＯＭ等）、磁気記録媒体（例えば、ハードディスク等）、光磁気記録媒体（例えば、ＭＯ等）、半導体メモリ（例えば、メモリカード等）のコンピュータ読み取り可能な記録媒体に記録しておき、他のコンピュータにおいて実行するとしてもよい。また、コンピュータ等の一般のハードウェアシステムに設けられたハードディスク等のコンピュータ読み取り可能な記録媒体に記録しておき、ネットワークを介してニュース提示プログラムをダウンロードした他のコンピュータにおいて実行するとしてもよい。
【０１６１】
なお、ホストコンピュータの代わりに、ＲＦＣ（Request for Comments）２６１６において規定されているＨＴＴＰ（Hyper Text Transfer Protocol）に基づいてデータ通信を行うＷｅｂサーバとしてもよい。その際には、ニュース提示システム１００は、クライアント、サーバから構成される２層構造のシステムとしてもよいし、クライアント、アプリケーションゲートウェイ、サーバから構成される３層構造のシステムとしてもよい。この場合においては、２層構造のシステムにあっては、ニュース表示装置１０９において実現される機能と同一の機能がクライアントにおいて実現され、ニュース提示装置において実現される機能と同一の機能がサーバにおいて実現されるとしてもよい。
３層構造のシステムにあっては、ニュース提示装置における各データベースがサーバにおいて管理され、ニュース提示装置１１０におけるユーザ認証部１１１、主サービス提供部１１２、ニュース提示部１１３、及び非再提示条件登録部１１４において実現される機能と同一の機能がアプリケーションゲートウェイにおいて実現されるとしてもよい。
【０１６２】
なお、ニュース表示装置１０９としての機能と、ニュース提示装置１１０としての機能とが、一台のコンピュータシステムにおいて実現されているとしてもよい。
なお、ニュースの代わりにユーザに提示する内容として、広告、伝言、連絡、日程、報告等に係る文字、音声、映像（静止画、又は動画等。）、及びこれらを組み合わせたもののいずれかであるデジタルコンテンツとしてもよい。
【産業上の利用可能性】
【０１６３】
本発明は、主サービスの提供に対して副次的にニュース等のコンテンツを提示するコンテンツ提示装置等として、特に、再提示されるコンテンツのうちユーザが提示を望まないものとして設定登録したコンテンツを除外してコンテンツを提示するコンテンツ提示装置等として、利用することができる。
【図面の簡単な説明】
【０１６４】
【図１】本発明の実施の形態１におけるニュース提示システムの概要を示すユースケース図である。
【図２】ニュース提示システムのハードウェア構成を示す概要図である。
【図３】ニュース提示装置の機能構成を示すブロック図である。
【図４】ユーザ情報データベースにおいて蓄積されるユーザ情報テーブルの例を示す図である。
【図５】ニュースデータベースにおいて蓄積されるニューステーブルの例を示す図である。
【図６】非再提示条件データベースにおいて蓄積される非再提示条件テーブルの例を示す図である。
【図７】履歴情報データベースにおいて蓄積される履歴情報テーブルの例を示す図である。
【図８】ニュース提示部の詳細な機能構成を示すブロック図である。
【図９Ａ】（ａ），（ｂ）は、条件一覧表記憶部において記憶される非再提示条件候補リストの例を示す図である。
【図９Ｂ】（ａ），（ｂ），（ｃ）は、ニュース一覧表記憶部において記憶される提示予定ニュースリストの例を示す図である。
【図１０】ニュース提示システムの状態遷移を示すステートマシン図である。
【図１１】ニュース表示装置を介してユーザに表示されるユーザ認証画面の例を示す図である。
【図１２】ニュース提示処理を示す第１のフローチャートである。
【図１３】ニュース提示処理を示す第２のフローチャートである。
【図１４】第１次ニュース絞込処理を示すフローチャートである。
【図１５】第２次ニュース絞込処理を示すフローチャートである。
【図１６】ニュース表示装置を介してユーザに表示されるニュース提示画面の例を示す図である。
【図１７】ニュース表示装置を介してユーザに表示される非再提示条件登録画面の例を示す図である。
【図１８】ニュース表示装置を介してユーザに表示される主サービス提供画面の例を示す図である。
【図１９】動作例における非再提示条件登録画面の例を示す図である。
【図２０】非再提示条件を設定登録した場合と、設定登録しなかった場合との画面表示例の変遷を示す図である。
【図２１】実施の形態２における非再提示条件登録画面の例を示す図である。
【図２２】実施の形態２における非再提示条件テーブルの例を示す図である。
【図２３】実施の形態２において、非再提示条件を設定登録した場合と、設定登録しなかった場合との画面表示例の変遷を示す図である。
【図２４】実施の形態３における非再提示条件登録画面の例を示す図である。
【図２５】実施の形態３における非再提示条件テーブルの例を示す図である。
【図２６】実施の形態３において、非再提示条件を設定登録した場合と、設定登録しなかった場合との画面表示例の変遷を示す図である。
【図２７】実施の形態４における非再提示条件登録画面の例を示す図である。
【図２８】実施の形態４における非再提示条件テーブルの例を示す図である。
【図２９】実施の形態５における非再提示条件登録画面の例を示す図である。
【図３０】実施の形態５における非再提示条件テーブルの例を示す図である。
【符号の説明】
【０１６５】
１００  ニュース提示システム
１０１  ユーザ
１０８  ネットワーク
１０９  ニュース表示装置
１１０  ニュース提示装置
１１１  ユーザ認証部
１１２  主サービス提供部
１１３  ニュース提示部
１１４  非再提示条件登録部
１１５  ユーザ情報データベース
１１６  ニュースデータベース
１１７  非再提示条件データベース
１１８  履歴情報データベース
１１９ａ  入力部
１１９ｂ  出力部
１５１  ユーザ情報検索部
１５２  ユーザ情報記憶部
１５３  ニュース検索部
１５４  ニュース一覧表記憶部
１５５  第１次ニュース絞込部
１５６  第１存否判定部
１５７  条件検索部
１５８  条件一覧表記憶部
１５９  条件絞込部
１６０  第２次ニュース絞込部
１６１  第２存否判定部
１６２  提示内容構成部
１６３  提示内容出力部
【図１】
2006031325.tif 000003
【図２】
2006031325.tif 000004
【図３】
2006031325.tif 000005
【図４】
2006031325.tif 000006
【図５】
2006031325.tif 000007
【図６】
2006031325.tif 000008
【図７】
2006031325.tif 000009
【図８】
2006031325.tif 000010
【図９Ａ】
2006031325.tif 000011
【図９Ｂ】
2006031325.tif 000012
【図１０】
2006031325.tif 000013
【図１１】
2006031325.tif 000014
【図１２】
2006031325.tif 000015
【図１３】
2006031325.tif 000016
【図１４】
2006031325.tif 000017
【図１５】
2006031325.tif 000018
【図１６】
2006031325.tif 000019
【図１７】
2006031325.tif 000020
【図１８】
2006031325.tif 000021
【図１９】
2006031325.tif 000022
【図２０】
2006031325.tif 000023
【図２１】
2006031325.tif 000024
【図２２】
2006031325.tif 000025
【図２３】
2006031325.tif 000026
【図２４】
2006031325.tif 000027
【図２５】
2006031325.tif 000028
【図２６】
2006031325.tif 000029
【図２７】
2006031325.tif 000030
【図２８】
2006031325.tif 000031
【図２９】
2006031325.tif 000032
【図３０】
2006031325.tif 000033